(57)【特許請求の範囲】
【請求項１】
機器本体を遠隔操作することが可能なモニタ部を備えた制御装置であって、前記機器本体で撮影または再生された画像を表示するモニタ部とグリップ部を備え、前記グリップ部は前記機器本体と着脱自在に設けられ、前記モニタ部と前記グリップ部は、互いに直交する２軸を備えたチルトユニットを介して回動するように結合され、前記モニタ部に対する前記グリップ部の相対的な回動を検出し、所定の回動位置において前記モニタ部の前記画像を上下反転させるように制御することを特徴とするモニタ部を備えた制御装置。
【請求項２】
前記グリップ部が前記機器本体に一体的に結合した状態において、前記モニタ部は回動可能であることを特徴とする請求項１記載のモニタ部を備えた制御装置。
【発明の詳細な説明】
【０００１】
【発明の属する技術分野】
本発明は、液晶表示装置付きカメラ一体型記録再生装置、特に液晶モニタ付きビデオカメラのような映像の記録再生装置のモニタ部を備えた制御装置に関し、さらに詳しくは、映像の記録再生装置本体を遠隔操作（リモコン操作）するために映像の記録再生装置から分離することが可能なモニタを備えた制御装置（リモコン装置）に関する。
【０００２】
【従来の技術】
液晶表示装置付きカメラ一体型記録再生装置において、液晶表示装置からなるモニタがカメラ一体型記録再生装置から分離可能であって、分離した液晶モニタとカメラ一体型記録再生装置本体をケーブルで接続し、カメラ部が撮影している被写体を手元の液晶モニタで確認しながら、リモコンとして遠方に設置されたカメラ一体型記録再生装置本体を操作するものが実用化されている。
【０００３】
従来の液晶表示装置付きカメラ一体型記録再生装置に用いられるモニタ部付き制御装置（リモコン装置）の一例を図１４，１５に基いて説明する。
図１４は、従来のモニタ部付き制御装置１０１の正面図で、図示しないカメラ一体型記録再生装置本体と分離した状態を、液晶モニタの表面側から見た図である。図１５は、図１４の状態のモニタ部付き制御装置１０１を紙面内で１８０°回転させた状態を示す正面図である。
【０００４】
モニタ部付き制御装置１０１は、図１４に示すように液晶表示部１０２とグリップ部１０５が一体に形成されている。液晶表示部１０２には、液晶パネル１０３と、カメラ一体型記録再生装置を記録あるいは再生操作するための操作ボタン１０４が液晶パネル１０３の上部に設けられている。液晶パネル１０３の側方に配置されたグリップ部１０５の上部にはコネクタプラグ１０６が設けられ、カメラ一体型記録再生装置本体とケーブル１０７の末端に設けられたコネクタソケット１０８で接続される。
【０００５】
モニタ部付き制御装置１０１をカメラ一体型記録再生装置から取り外し、ケーブルで接続して、リモコン装置として用いるとき、カメラ一体型記録再生装置本体のカメラ部が撮影した映像は、液晶パネル１０３に図１４に示すように正立して表示される。また、同様に、カメラ一体型記録再生装置本体をリモコン操作して再生動作させ、手元の液晶パネル１０３に表示する際の映像も、図１４に示すように正立して表示される。
しかし、モニタ部付き制御装置１０１を紙面内で１８０°回転させ上下を逆にすると、図１５に示す状態となり、当然のことながら液晶パネル１０３に表示されている被写体映像あるいは再生映像も上下が逆になった倒立した映像が観察されることとなる。
【０００６】
したがって、モニタ部付き制御装置１０１を使用してカメラ一体型記録再生装置本体をリモコン操作をする際は、図１４に示すようにモニタ部付き制御装置１０１のグリップ１０５を右手で把持し、液晶パネル１０３に表示された被写体の映像を確認しながら液晶パネル１０３上部の操作ボタン１０４を操作することによって、カメラ一体型記録再生装置本体から離れた位置からカメラ一体型記録再生装置本体を操作して撮影することができる。
【０００７】
【発明が解決しようとする課題】
従来のモニタ部付き制御装置は、カメラ一体型記録再生装置から分離させ記録再生装置本体とケーブルで接続することによって、モニタ部付き遠隔制御装置を用いて手軽にリモコン撮影をすることができる。
しかしながら、従来のモニタ付き制御装置は、グリップを右手で把持する場合を考慮して設計されているため、その場合には被写体の映像が図１４に示すように正立して表示されるので、リモコン操作は不都合なく行われるが、理由あってグリップを左手で把持してリモコン操作を行う場合は、被写体の映像が図１５に示すように倒立して表示されることとなるので、右手で操作ボタンを押そうとしても映像を確認しながらの操作が難しいという問題点があった。
【０００８】
したがって、本発明は、モニタ部、すなわち液晶表示ユニットをカメラ一体型記録再生装置から取り外してコネクタ付きのケーブルで接続するか、またはワイヤレスの送受信ユニットを用いて接続することによって、モニタ部を機器本体のリモートコントローラとして使用できるとともに、機器本体と一体としても使用することができるモニタ部付き制御装置を提供することを目的とする。
また、モニタ部付き制御装置を着脱自在に備えたカメラ一体型記録再生装置において、モニタ部付き制御装置のグリップ部を左右何れの手で把持して操作しても、モニタに表示される映像は上下反転することがなく、常に正立した映像を確認しながらリモコン操作をすることが可能なモニタ部付き制御装置を提供することを目的とする。
【０００９】
【課題を解決するための手段】
本発明は、上記課題を解決するためになされたものであって、そのための第１の技術手段は、機器本体を遠隔操作することが可能なモニタ部を備えた制御装置であって、前記機器本体で撮影または再生された画像を表示するモニタ部とグリップ部を備え、前記グリップ部は前記機器本体と着脱自在に設けられ、前記モニタ部と前記グリップ部は、互いに直交する２軸を備えたチルトユニットを介して回動するように結合され、前記モニタ部に対する前記グリップ部の相対的な回動を検出し、所定の回動位置において前記モニタ部の前記画像を上下反転させるように制御することを特徴とする。
【００１２】
第２の技術手段は、第１の技術手段のモニタ部を備えた制御装置において、前記グリップ部が前記機器本体に一体的に結合した状態において、前記モニタ部は回動可能であることを特徴とする。
【００１３】
【発明の実施の形態】
以下、本発明の実施の形態を図１〜図１３に示す実施例に基いて説明する。
なお、実施例の説明において、前記した従来例と同様の機能の構成要素については、従来例の説明で使用したと同様の用語を使用する。
図１は本発明の実施例によるモニタ部付き制御装置の正面図で、モニタ付きカメラ一体型記録再生装置から取り外した状態を示した図である。図２は図１のモニタ部付き制御装置の上面図、図３は図１の状態のモニタ部付き制御装置を紙面内で１８０°回転した状態を示す図、図４は図３の状態よりグリップ部を横軸を中心として１８０°回転した状態を示し、この時液晶パネルに表示されている被写体の映像は上下反転して表示されることを示す図である。
【００１４】
モニタ部付き制御装置１は、液晶表示部２とグリップ部５が後述のチルトユニット１０を介して互いに回動自在に結合されており、グリップ部５が後述のカメラ一体型記録再生装置本体９と着脱自在に機械的及び電気的に結合されている。グリップ部５をカメラ一体型記録再生装置本体９に装着したときは、モニタ部付き制御装置１とカメラ一体型記録再生装置本体９とは図１２に示すように一体的に結合し、その状態において液晶表示部２を図１３に示すように回転して起立させ、液晶表示部２の液晶パネル３に表示された画像を確認しながら、従来のカメラ一体型記録再生装置と同様に操作することができる。
【００１５】
液晶表示部２は、液晶パネル３と操作ボタン４からなり、操作ボタン４は液晶パネル３の上部に設けられ、カメラ一体型記録再生装置本体９の記録動作や再生動作を制御するための複数の操作ボタンからなる。
【００１６】
グリップ部５に設けられたコネクタプラグ６は、ケーブル７の末端に設けられたコネクタソケット８により、カメラ一体型記録再生装置本体９と接続される。また、グリップ部５は、チルトユニット１０を介して液晶表示部２と連結されており、図１において水平方向の横軸を中心として液晶表示部２に対して回動させることができ、図３の状態から図４の状態に、また図４の状態から図３の状態に自由に回動させて表裏反転することができる。
【００１７】
図５は、図２に示すモニタ部付き制御装置１のグリップ部５を垂直方向の縦軸のまわりに９０°回動した状態を示す上面図である。
グリップ部５は、液晶表示部２の液晶パネル３に対して垂直に折り曲げる方向にも回動させることができ、図２の状態から図５の状態に、また図５の状態から図２の状態に自由に回動させることができるように構成されている。
すなわち、グリップ部５は液晶パネル３に対して直交する２軸（横軸、及び縦軸）を中心として回動可能に結合されている。
【００１８】
液晶表示部２とグリップ部５を連結するチルトユニット１０について説明する。
図６は、図１のモニタ部付き制御装置１の一部を切り欠いて示す正面図である。
図７は、図６の状態のモニタ付き制御装置１を紙面内で１８０°回転させ、さらにグリップ部５を横軸１６のまわりに１８０°回転させた状態の一部を切り欠いて示す図である。
図８，図９，図１０は、それぞれチルトユニット１０の正面図、側面図、裏面図である。図８は図６の状態のチルトユニット１０を示し、図１０は図７の状態のチルトユニット１０を示している。図９は図８の状態のチルトユニット１０の側面図である。
図１１は、図５に示す状態のモニタ部付き制御装置１の一部を切り欠いて示す正面図である。
【００１９】
チルトユニット１０は、板バネ１１と、板バネ１１に形成された上下一対のカール部１２ａ，１２ｂ中を貫通して圧入されることによりバネ力が付加された状態で軸支された縦軸１３と、板バネ１１を水平方向に貫通し一方端部に回動ブラケット１５を固着した横軸１６を有する。
縦軸１３の両端部には固定穴１４ａ，１４ｂが穿設され、図示しないネジによってグリップ部５が取り付けられる。
横軸１６の一方端部に固着された回動ブラケット１５は図示しないネジによって液晶表示部２が取り付けられる。また、横軸１６の他方端部にストッパカム１７が固着されており、ストッパカム１７は、横軸１６の板バネ１１への圧接と抜け止めの機能と回動ブラケット１５、すなわち横軸１６の回動角度を制限する機能を有する。すなわち、ストッパカム１７に形成された突起部１８が回動し、板バネ１１の切り起こし部１９と当接する。
【００２０】
チルトユニット１０の正面には反転検出スイッチ２０が設けられ、前記ストツパカム１７の突起部１８により押圧されて、回動ブラケット１５すなわち横軸１６の回動位置が検出されるよう構成されている。
縦軸１３と横軸１６は、板バネ１１を介して概ね直交方向に配置され、それぞれ板バネ１１に対してバネ圧による摩擦トルクを負荷した状態で回転させることが可能である。
【００２１】
回動ブラケット１５は液晶表示部２に固着され、垂直方向の縦軸１３がグリップ部５に固定穴１４ａ，１４ｂを介して図示しないネジにより固定されている。回動ブラケット１５を図８の状態から図１０の状態へ横軸１６を軸として１８０°回動させた時、ストッパカム１７の突起部１８が反転検出スイッチ２０と係合して反転状態が検出される。このようにして、グリップ部５が１８０°回動したことが検出されると、記録再生装置本体の映像回路に対し、液晶パネルに表示される画像を上下反転するように指示し、液晶パネル３に表示される映像を上下反転させることが可能となる。
【００２２】
図１１に示すように、グリップ部５は縦軸１３を中心として概ね９０°回動することが可能であるので、グリップ部５を液晶表示部２に対して図示の方向へ回転させることにより、手で握った感触を変えることができ、握りやすいグリップ部５の姿勢を選ぶことが可能となる。
【００２３】
図１２は、モニタ部付き制御装置１をカメラ一体型記録再生装置本体９に一体的に装着した状態を示す。カメラ一体型記録再生装置本体９に設けられた図示しないコネクタソケットとモニタ部付き遠隔制御装置１のコネクタプラグ６を嵌合させることにより、モニタ部付き制御装置１をカメラ一体型記録再生装置本体９に一体的に装着することができる。
【００２４】
図１３は、モニタ付き制御装置１の記録再生装置本体９への装着状態にて、液晶表示部２を起立させて開いた状態を示す。液晶表示部２を記録再生装置本体９へ一体的に装着した状態で、モニタ付き制御装置１の液晶表示部２を縦軸１３を中心として開閉し、また横軸１６を中心として回転することが可能である。
【００２５】
なお、図１〜図１３に基づいて説明した実施例においては、モニタ付き制御装置１とカメラ一体型記録再生装置本体９とをコネクタ付きのケーブル７で接続して遠隔操作をする例であったが、ケーブル７を用いて接続するものに限らず電波あるいは赤外線等を用いてワイヤレスで遠隔操作を行うようにすることができる。この場合には、ワイヤレスの送受信ユニットをカメラ一体型記録再生装置本体９とモニタ付き制御装置１の双方に設けることが必要である。
【００２６】
【発明の効果】
以上説明した記載から明らかなように、本発明は次のような効果を奏する。
（１）モニタ部付き制御装置のグリップ部を左右どちらの手で把持しても操作性のよいモニタ部付きリモコン装置を提供することができる。
（２）グリップ部の姿勢を握りやすく変えることが可能で、カメラ一体型記録再生装置本体に一体的に装着することができるモニタ部付きリモコン装置を提供することができる。
（３）チルトユニットの液晶表示部に対する回転位置を検出する機構を設けて、チルトユニットを反転させた時にそれを検出して、液晶の表示を上下反転させることにより、グリップを１８０°回転させて使用することができる。すなわち、右利き・左利きの使用者に対応が可能となる。
【図面の簡単な説明】
【図１】本発明の実施例によるモニタ部付き制御装置の正面図である。
【図２】図１のモニタ部付き制御装置の上面図である。
【図３】図１のモニタ部付き制御装置を紙面内で１８０°回転した状態を示す図である。
【図４】図３のモニタ部付き制御装置のグリップ部を横軸を中心として１８０°回転した状態を示す図である。
【図５】図２のモニタ部付き制御装置のグリップ部を縦軸を中心として９０°回転した状態を示す上面図である。
【図６】図１のモニタ部付き制御装置の一部切り欠き正面図である。
【図７】図６のモニタ部付き制御装置を紙面内で１８０°回転させ、さらにグリップ部を横軸を中心として１８０°回転した状態の切欠図である。
【図８】チルトユニットの正面図で、図６に対応する図である。
【図９】チルトユニットの側面図である。
【図１０】チルトユニットの裏面図で、図７に対応する図である。
【図１１】モニタ部付き制御装置のグリップ部を概ね９０°回転させた状態の図で、図５に対応する切欠図である。
【図１２】モニタ部付き制御装置をカメラ一体型記録再生装置本体に一体的に装着した図である。
【図１３】モニタ部付き制御装置を記録再生装置本体に装着し、液晶表示部を開いた状態を示す図である。
【図１４】従来のモニタ部付き制御装置の正面図である。
【図１５】図１４のモニタ部付き制御装置を紙面内で１８０°回転させた状態を示す正面図である。
【符号の説明】
１…モニタ部付き制御装置、２…液晶表示部、３…液晶パネル、４…操作ボタン、５…グリップ部、６…コネクタプラグ、７…ケーブル、８…コネクタソケット、９…カメラ一体型記録再生装置本体、１０…チルトユニット、１１…板バネ、１２ａ，１２ｂ…カール部、１３…縦軸、１４ａ，１４ｂ…固定穴、１５…回動ブラケット、１６…横軸、１７…ストッパカム、１８…突起部、１９…切り起こし部、２０…反転検出スイッチ。
【図１】
0003549460.tif 000002
【図２】
0003549460.tif 000003
【図３】
0003549460.tif 000004
【図４】
0003549460.tif 000005
【図５】
0003549460.tif 000006
【図６】
0003549460.tif 000007
【図７】
0003549460.tif 000008
【図８】
0003549460.tif 000009
【図９】
0003549460.tif 000010
【図１０】
0003549460.tif 000011
【図１１】
0003549460.tif 000012
【図１２】
0003549460.tif 000013
【図１３】
0003549460.tif 000014
【図１４】
0003549460.tif 000015
【図１５】
0003549460.tif 000016